(57)【要約】【課題】経験の浅い者であっても、転写面に傷をつけることなく鏡面駒を型枠に挿入することができるようにする。【解決手段】鏡面駒挿入用ガイド装置６０は、型枠１２に固定されたガイドプレート３０と、２個一対で鏡面駒４０に取り付けられる治具本体６１と、治具本体６１を鏡面駒４０に取り付けるネジ６２とによって構成される。ガイドプレート３０は、型枠１２に固定されたときに装着孔１３と連通する挿通孔３２を備え、挿通孔３２には位置決め凹部３１が形成される。治具本体６１は位置決め凹部３１と嵌合する嵌合部６３とストッパ４４に設けられたネジ穴４６と螺合するネジ６２が挿通される止め孔６４とを備え、鏡面駒４０に保持される。鏡面駒４０は、嵌合部６３を位置決め凹部３１に嵌合させ、鏡面駒４０の先端が装着孔１３内に挿入された後に治具本体６１が取り外され、転写面４１が所定位置となるまで装着孔１３に挿入される。【選択図】図３
2010194779.tif 000002
【特許請求の範囲】
【請求項１】
光学面形状を転写する転写面が先端側に形成された鏡面駒を、型枠に形成された装着孔に前記型枠の裏面側から挿入するときに、前記鏡面駒の中心位置が前記装着孔の中心位置に一致するように前記鏡面駒をガイドするガイド装置であって、
前記型枠の裏面側に型枠と一体となるように固定され、一端側が前記装着孔と連通し他端側に位置決め凹部が形成された挿通孔を有するガイドプレートと、
挿入方向先端側に前記位置決め凹部と嵌合する嵌合部が形成された治具本体と、
前記治具本体に設けられ、前記嵌合部が前記位置決め凹部に嵌合することによって前記鏡面駒が前記装着孔に軸合わせされて位置決めされるように前記鏡面駒を保持する保持手段と、
から構成され、
前記転写面が前記装着孔に挿入された後に、前記治具本体が前記鏡面駒から取り外されることを特徴とする鏡面駒挿入用ガイド装置。
【請求項２】
前記治具本体は複数個に分割されて取り外されることを特徴とする請求項１記載の鏡面駒挿入用ガイド装置。
【請求項３】
光学面形状を転写する転写面が先端側に形成された鏡面駒を、型枠に形成された装着孔に前記型枠の裏面側から挿入するときに、前記鏡面駒の中心位置が前記装着孔の中心位置に一致するように前記鏡面駒をガイドするガイド装置であって、
前記型枠の裏面側に型枠と一体となるように固定され、一端側が前記装着孔と連通し他端側に位置決め凹部が形成された挿通孔を有するガイドプレートと、
挿入方向先端側に前記位置決め凹部と嵌合する嵌合部が形成された治具本体と、
前記治具本体に設けられ、前記嵌合部が前記位置決め凹部に嵌合することによって前記鏡面駒が前記装着孔に軸合わせされて位置決めされるように前記鏡面駒を保持する保持手段と、
前記装着孔の所定位置まで挿入された前記鏡面駒を前記治具本体に固定するとともに前記治具本体を前記ガイドプレートに固定する固定手段と、
を備えたことを特徴とする鏡面駒挿入用ガイド装置。
【請求項４】
光学面形状を転写する転写面が先端側に形成された鏡面駒を、型枠に形成された装着孔に前記型枠の裏面側から挿入する方法であって、
一端側が前記装着孔と連通され他端側に前記鏡面駒を前記装着孔に対して中心位置が同じになるように位置決めする位置決め凹部を有する挿通孔を有するガイドプレートを、前記型枠の裏面側に、前記装着孔と前記位置決め凹部とが中心位置が同じくなるように位置決めして、ネジによって固定する第１工程と、
挿入方向先端側に前記位置決め凹部と嵌合する嵌合部が形成された治具本体に、前記嵌合部が前記位置決め凹部に嵌合することによって前記鏡面駒が前記装着孔に軸合わせされて位置決めされるように前記鏡面駒を前記保持手段によって、着脱自在に仮固定する第２工程と、
前記嵌合部を前記位置決め凹部に嵌合させて前記転写面を前記装着孔に挿入させる第３工程と、
前記治具本体を前記鏡面駒から取り外す第４工程と、
前記転写面が所定位置となるように前記鏡面駒を前記装着孔に挿入する第５工程と、
を順次に行うことを特徴とする鏡面駒の挿入方法。
【請求項５】
前記第４工程において、前記治具本体が複数個に分割されて取り外されることを特徴とする請求項４記載の鏡面駒の挿入方法。
【請求項６】
光学面形状を転写する転写面が先端側に形成された鏡面駒を、型枠に形成された装着孔に前記型枠の裏面側から挿入する方法であって、
一端側が前記装着孔と連通され他端側に前記鏡面駒を前記装着孔に対して中心位置が同じになるように位置決めする位置決め凹部を有する挿通孔を有するガイドプレートを、前記型枠の裏面側に、前記装着孔と前記位置決め凹部とが中心位置が同じくなるように位置決めして、ネジによって固定する第１工程と、
挿入方向先端側に前記位置決め凹部と嵌合する嵌合部が形成された治具本体に、前記嵌合部が前記位置決め凹部に嵌合することによって前記鏡面駒が前記装着孔に軸合わせされて位置決めされるように前記鏡面駒を前記保持手段によって、着脱自在に仮固定する第２工程と、
前記嵌合部を前記位置決め凹部に嵌合させて前記転写面を前記装着孔に挿入させる第３工程と、
前記保持手段による仮固定を解除して前記鏡面駒を挿入方向に移動自在とする第４工程と、
前記転写面が所定位置となるように前記鏡面駒を前記装着孔に挿入する第５工程と、
前記治具本体に前記鏡面駒を固定するとともに前記治具本体を前記ガイドプレートに固定する第６工程と、
を順次に行うことを特徴とする鏡面駒の挿入方法。
【発明の詳細な説明】
【技術分野】
【０００１】
本発明は、光学レンズを成形するための金型の組立に関し、詳しくは、光学面形状を転写する転写面が先端側の全面に形成された鏡面駒を、型枠に形成された装着孔に挿入する際に、前記装着孔の挿入口エッジに前記転写面を当接させることなく前記鏡面駒を前記装着孔に挿入するための挿入用ガイド装置及び挿入方法に関するものである。
【背景技術】
【０００２】
従来、光学レンズを成形する金型は、下記特許文献１に示されているような上型と下型によって構成されるものが一般的である。上型と下型は、型枠の一方に設けられたガイド軸が、他方に設けられたガイド穴に嵌合して位置決めされ、一方が摺動可能となっている。上型と下型のそれぞれの型枠には鏡面駒が挿入される装着孔が設けられ、装着孔に装着された前記鏡面駒は、型閉じ時にはそれぞれの先端面が同軸上で対向するように位置決めされる。前記鏡面駒の先端面には光学面形状を転写する転写面が形成され、上型と下型に設けられた２つの転写面の間がレンズの成型空間となる。
【先行技術文献】
【特許文献】
【０００３】
【特許文献１】特開２００８−１８８８１５号公報
【発明の概要】
【発明が解決しようとする課題】
【０００４】
前述の金型の組立において、上型と下型の合わせ面を表面としたときの裏面側から前記鏡面駒を前記それぞれの型枠に形成された装着孔に挿入するが、この時、装着孔の挿入口のエッジに前記鏡面駒の先端面が当接すると、前記先端面に傷がついてしまう。ここで前記先端面には光学面形状を転写する転写面が形成されており転写面に付いた傷は成型されるレンズに転写してしまい成型されたレンズが不良品となってしまう。このように、前記装着孔への鏡面駒の挿入は熟練を必要とする。特に、前記転写面が前記先端面の全面に形成されている場合は、前記先端面の角が当たってもレンズに傷がついてしまうので、前記挿入口に前記先端面が触れないように鏡面駒を挿入しなければならず、経験の浅い者には非常に困難な作業である。
【０００５】
掛かる課題に対して、本発明は、特別な技術を必要とすることなく前記転写面に傷が付かないように前記鏡面駒を挿入することができるガイド装置を提供し、経験の浅い者でも簡単にできる鏡面駒の挿入方法を提案する。
【課題を解決するための手段】
【０００６】
本発明による鏡面駒挿入用ガイド装置は、光学面形状を転写する転写面が先端側に形成された鏡面駒を、型枠に形成された装着孔に前記型枠の裏面側から挿入するときに、前記鏡面駒の中心位置が前記装着孔の中心位置に一致するように前記鏡面駒をガイドするガイド装置であって、前記型枠の裏面側に型枠と一体となるように固定され、一端側が前記装着孔と連通し他端側に位置決め凹部が形成された挿通孔を有するガイドプレートと、挿入方向先端側に前記位置決め凹部と嵌合する嵌合部が形成された治具本体と、前記治具本体に設けられ、前記嵌合部が前記位置決め凹部に嵌合することによって前記鏡面駒が前記装着孔に軸合わせされて位置決めされるように前記鏡面駒を保持する保持手段と、を備え、前記転写面が前記装着孔に挿入された後に、前記治具本体が前記鏡面駒から取り外されることを特徴とする。前記治具本体は複数個から構成し分割できるようにすると良く、このようにすると取り外す作業が簡単になる。
【０００７】
あるいは、前記治具本体を取り外すことなく前記鏡面駒を前記装着孔の所定位置まで挿入した後、固定手段によって前記鏡面駒を前記治具本体に固定するとともに前記治具本体を前記ガイドプレートに固定するようにしても良い。
【０００８】
本発明による鏡面駒の挿入方法は、光学面形状を転写する転写面が先端側に形成された鏡面駒を、型枠に形成された装着孔に前記型枠の裏面側から挿入する方法であって、一端側が前記装着孔と連通され他端側に前記鏡面駒を前記装着孔に対して中心位置が同じになるように位置決めする位置決め凹部を有する挿通孔を有するガイドプレートを、前記型枠の裏面側に、前記装着孔と前記位置決め凹部とが中心位置が同じくなるように位置決めして、ネジによって固定する第１工程と、挿入方向先端側に前記位置決め凹部と嵌合する嵌合部が形成された治具本体に、前記嵌合部が前記位置決め凹部に嵌合することによって前記鏡面駒が前記装着孔に軸合わせされて位置決めされるように前記鏡面駒を前記保持手段によって、着脱自在に仮固定する第２工程と、前記嵌合部を前記位置決め凹部に嵌合させて前記転写面を前記装着孔に挿入させる第３工程と、前記治具本体を前記鏡面駒から取り外す第４工程と、前記転写面が所定位置となるように前記鏡面駒を前記装着孔に挿入する第５工程と、を順次に行うことを特徴とする。また、前記第４工程において、前記治具本体が複数個に分割されて取り外されるようにすると良い。
【０００９】
あるいは、前記第１工程から第３工程までと、前記保持手段による仮固定を解除して前記鏡面駒を挿入方向に移動自在とする第４工程と、前記転写面が所定位置となるように前記鏡面駒を前記装着孔に挿入する第５工程と、前記治具本体に前記鏡面駒を固定するとともに前記治具本体を前記ガイドプレートに固定する第６工程と、を順次に行うようにしても良い。
【発明の効果】
【００１０】
本発明によれば、経験の浅い者でもであっても、型枠に形成された装着孔に鏡面駒を挿入するときに、前記装着孔の挿入口エッジに前記鏡面駒の先端に形成された転写面を当接させることがなく、前記転写面に傷をつけることがない。
【図面の簡単な説明】
【００１１】
【図１】本発明による鏡面駒挿入用ガイド装置を用いて鏡面駒が型枠に装着されたレンズ成形用金型（固定型と可動型）の断面図である。
【図２】固定型をレンズ成形面側から見た斜視図である。
【図３】本発明による鏡面駒挿入用ガイド装置の説明図である。
【図４】鏡面駒が固定されたガイドプレートをレンズ成形面の裏側から見た斜視図である。
【図５】治具本体が取り付けられた鏡面駒の断面図である。
【図６】本発明による鏡面駒挿入方法の第３工程の初期の状態を説明する図である。
【図７】第３工程の完了時の状態を説明する図である。
【図８】第４工程を説明する図である。
【図９】第５工程を説明する図である。
【図１０】別の実施形態の鏡面駒挿入用ガイド装置の説明図である。
【図１１】別の実施形態による鏡面駒挿入方法の第２工程を説明する図である。
【図１２】別の実施形態による第３工程の初期の状態を説明する図である。
【図１３】別の実施形態による第３工程の完了時の状態を説明する図である。
【図１４】別の実施形態の第４工程を説明する図である。
【図１５】別の実施形態の第５工程を説明する図である。
【図１６】別の実施形態の第６工程を説明する図である。
【図１７】矩形をした鏡面駒を挿入する鏡面駒挿入用ガイド装置の説明図である。
【発明を実施するための形態】
【００１２】
図１及び図２に示すように、レンズ成形用金型１０は、固定型１１および可動型２１で構成される。固定型１１及び可動型２１は、それぞれ型枠１２，２２と、図示しないネジによって型枠１２，２２に一体的に固定されたガイドプレート３０と、型枠１２，２２に形成された装着孔１３，２３に嵌め込まれた鏡面駒４０，５０（図３参照）とによって構成され、固定型１１の四隅に埋設されたガイド軸１４に可動型２１の四隅に設けられたガイド孔２４が摺動自在に嵌合し、前記固定型１１と可動型２１とが開閉自在に構成される。型閉じ時には型枠１２の合わせ面１５と型枠２２の合わせ面２５が圧接される。前記ガイドプレート３０は、型枠１２，２２の裏側（前記合わせ面１５，２５の反対側）に、図示しないネジによって固定される。前記鏡面駒４０，５０は、前記装着孔１３，２３に前記合わせ面１５，２５のそれぞれの裏側から挿入され、前記固定型１１と可動型２１とが閉じられたときに同一軸上に位置して、それぞれの先端側に形成された転写面４１，５１が対向し、その間に成形空間５５が形成される。前記型枠１２に形成されたスプルー１６及び前記合わせ面１５，２５に形成されたランナー１７を経由して溶融された樹脂が成形空間５５に供給されてレンズが成形される。
【００１３】
図３に示すように、本発明による鏡面駒挿入用ガイド装置６０は、前記鏡面駒本体４２を前記転写面４１の側から前記装着孔１３に挿入するときに用いられるガイド装置であり、前記型枠１２に一体的にネジ止めされたガイドプレート３０と、前記鏡面駒４０に取り付けられる治具本体６１と、治具本体６１を鏡面駒４０に取り付けるネジ（保持手段）６２とによって構成される。前記ガイドプレート３０は、前記型枠１２に固定されたときに前記装着孔１３の中心と同じ位置に中心を持つ挿通孔３２を備え、挿通孔３２の前記型枠１２と反対側に位置決め凹部３１が形成される。前記治具本体６１は２個一対で用いられ、前記位置決め凹部３１と嵌合する嵌合部６３と止め孔６４とを備え、止め孔６４に挿通された前記ネジ６２が前記鏡面駒４０を構成するストッパ４４に設けられたネジ穴４６と螺合して、前記治具本体６１が前記鏡面駒４０に仮固定（保持）される。
【００１４】
前記鏡面駒４０は、光学面形状を転写する前記転写面４１が先端側に形成され前記装着孔に挿入される鏡面駒本体４２と、鏡面駒本体４２の位置決め部材であるストッパ４４と、ストッパ４４から転写面４１までの寸法を調節するスペーサ４３とがネジ４５によって一体化された構成となっている。ストッパ４４は、鏡面駒本体４２が前記装着孔１３に挿入されたときにガイドプレート３０に形成された位置決め凹部３１に嵌合し、挿入側端面４４ａが位置決め凹部３１の底面３４に当接して前記転写面４１の挿入方向の位置を位置決めする。このときストッパ４４の円筒面４４ｂと位置決め凹部３１の円筒面３５は挿入方向の寸法が同じに形成されているので、図４に示すように、ストッパ４４のネジ４５が止められる側の端面４４ｃはガイドプレート３０と同一面となり、前記ガイドプレート３０にネジ５８によってネジ止めされた押さえ板５７が前記端面４４ｃの一部を覆って、前記型枠１２に挿入された鏡面駒４０が外れないようにロックされる。なお、可動型２１に装着される鏡面駒５０は、転写面５１が鏡面駒４０の転写面４１と異なる形状である点以外は同じである。
【００１５】
次に、前記鏡面駒挿入用ガイド装置６０を用いた鏡面駒の挿入方法について工程順に説明する。ここでは前記固定型１１について説明するが、可動型２１についても全く同じである。
【００１６】
（第１工程）図２に示すように、前記型枠１２に形成された前記樋状凹部１９に前記ガイドプレート３０を嵌合させ、図示しないネジによって固定する。
【００１７】
（第２工程）図３及び図５に示すように、治具本体６１の止め孔６４に挿通させたネジ６２を、鏡面駒４０のストッパ４４に設けられたネジ穴４６に螺合させ、治具本体６１を鏡面駒４０に取り付ける。治具本体６１は２個一対で鏡面駒４０のほぼ全周を覆うように取り付けられる。
【００１８】
（第３工程）図６に示すように、治具本体６１の嵌合部６３とガイドプレート３０の位置決め凹部３１とが位置合わせされ嵌合し始める。このとき、治具本体６１の嵌合部６３の先端側から鏡面駒本体４２の転写面４１までの寸法がガイドプレート３０の厚さ寸法より短く設定されているので、転写面４１は型枠１２に形成された装着孔１３の挿入口１８に到達していない。図７に示すように、位置合わせされた前記嵌合部６３が前記位置決め凹部３１に押し込まれる。鏡面駒本体４２は前記嵌合部６３が位置決め凹部３１に嵌合されることで鏡面駒本体４２と装着孔１３が同軸上に位置決めされるので、転写面４１が装着孔１３の挿入口１８のエッジに突き当たって傷つくことなく鏡面駒本体４２の先端が装着孔１３に挿入される。
【００１９】
（第４工程）図８に示すように、鏡面駒本体４２の先端が装着孔１３に挿入された状態で前記治具本体６１が鏡面駒４０から取り外される。治具本体６１は２つとも取り外される。なお、治具本体６１は２つに限るものではなく、３つ１組であっても良いし、４つ１組であっても良いが、あまり多くすると取り外すときの手間が掛かってしまう。
【００２０】
（第５工程）図９に示すように、鏡面駒４０はストッパ４４が前記位置決め凹部３１に嵌合され停止するまで押し込まれる。前記鏡面駒本体４２は更に前記装着孔１３に進入して前記転写面４１が所定の位置に設定される。
【００２１】
なお、前記実施形態では、前記嵌合部６３が前記位置決め凹部３１に嵌合して挿入され、位置決め凹部３１の底面３４に突き当たって嵌合が完了するまでに前記転写面４１が前記装着孔１３内に挿入される例を示したが、前記嵌合が完了した状態では転写面４１が装着孔１３の外にあって、保持された鏡面駒４０の中心位置と姿勢が装着孔１３に整合されており、その状態から鏡面駒４０が装着孔１３に向かって押され、治具本体６１にガイドされて移動し装着孔１３に挿入されるようにしても良い。
【００２２】
次に、別の実施形態について説明する。鏡面駒４０は前記実施形態と同じであるから同じ記号を用いるとともに詳細な説明は省略する。図１１に示すように、治具本体７０は筒形をした単一部品であり、前記位置決め凹部３１と嵌合する嵌合部７１と前記鏡面駒４０を保持する止め孔７２と固定する固定孔７３とを備える。治具本体７０は嵌合部７１の中央に前記鏡面駒本体４２が挿入される孔７４が形成され、嵌合部７１を除く筒状部分には、ネジ６２（保持手段）が挿通する止め孔７２と、ネジ７８（固定手段）が挿通する固定孔７３とが設けられ、筒状部分の内側には、鏡面駒本体４２が装着孔１３に挿入されるときに前記ストッパ４４をガイドして前記鏡面駒本体４２の円滑な挿入を助ける内筒面７５が形成される。前記ネジ６２は前記ネジ穴４６と螺合して前記装着孔１３に挿入される前の鏡面駒４０を保持する。前記ネジ７８は固定孔７３と固定板８０に形成された孔８１とに挿通され前記ネジ穴４６に螺合され、前記装着孔１３に挿入された後の鏡面駒４０を固定する。前記固定板８０は略Ｌ字形に形成され一方に前記孔８１が形成され他方に孔８２が形成される。前記固定板８０は孔８２に挿通されたネジ８４によって、前記ガイドプレート３０に固定される。
【００２３】
次に、前記治具本体７０を用いた鏡面駒４０の挿入方法について工程順に説明する。
【００２４】
（第１工程）図２に示すように、図示しないネジによって前記ガイドプレート３０を前記型枠１２に固定する。
【００２５】
（第２工程）図１２に示すように、治具本体７０の前記孔７４に鏡面駒本体４２が挿入され、止め孔７２に挿通させたネジ６２を、鏡面駒４０のストッパ４４に設けられたネジ穴４６に螺合させ、鏡面駒４０を治具本体７０に保持させる。
【００２６】
（第３工程）図１３に示すように、治具本体７０の嵌合部７１とガイドプレート３０の位置決め凹部３１とが位置合わせされ嵌合し始める。このとき、治具本体７０の嵌合部７１の先端側から鏡面駒本体４２の転写面４１までの寸法がガイドプレート３０の厚さ寸法より短く設定されているため、転写面４１は型枠１２に形成された装着孔１３の挿入口１８に到達していない。図１４に示すように、位置合わせされた前記嵌合部７１が前記位置決め凹部３１に押し込まれる。鏡面駒本体４２は前記嵌合部７１が位置決め凹部３１に嵌合されることで鏡面駒本体４２と装着孔１３が同軸上に位置決めされるので、転写面４１が装着孔１３の挿入口１８のエッジに突き当たって傷つくことなく鏡面駒本体４２の先端が装着孔１３に挿入される。
【００２７】
（第４工程）図１５に示すように、鏡面駒本体４２の先端が装着孔１３に挿入された状態で前記治具本体７０からネジ６２が取り外される。
【００２８】
（第５工程）図１６に示すように、鏡面駒４０はストッパ４４が前記内筒面７５にガイドされて奥まで押し込まれる。前記鏡面駒本体４２は前記装着孔１３により深く侵入して前記転写面４１が所定の位置に設定される。
【００２９】
（第６工程）図１７に示すように、前記型枠１２の所定の位置に挿入された鏡面駒４０は、ネジ７８によって治具本体７０に固定される。ネジ７８は固定板８０に形成された孔８１と治具本体７０の固定孔７３とに挿通され前記ネジ穴４６に螺合される。前記固定板８０に形成された孔８２にネジ８４が挿通され、ネジ８４によって前記ガイドプレート３０にネジ止めされる。
【００３０】
前記実施形態は、成形されるレンズが円形であるものとして説明したが、カメラのファインダレンズのように矩形をしたレンズもある。その場合は、例えば、図１８に示すように、鏡面駒４０ｂの鏡面駒本体４２ｂ及びその先端側に形成された転写面４１ｂも矩形であり、型枠１２ｂに形成された装着穴１３ｂもガイドプレート３０ｂに形成された位置決め凹部３１ｂも矩形であるから、治具本体６１ｂに形成される嵌合部６３ｂを矩形にすれば良い。その他の構成及び挿入方法は前記実施形態と変わらない。
【００３１】
本発明による鏡面駒挿入用ガイド装置６０は、成形用金型によって成形されるレンズの大きさが変更になった場合でも、そのまま使用することが可能である。レンズの大きさが変更になった場合は、鏡面駒本体４２の大きさが変更になるので、装着孔１３の大きさも変更になるから型枠１２が再加工されるかあるいは別の型枠になる。しかし、鏡面駒４０を位置決めし固定する位置決め凹部３１はガイドプレート３０に設けられており、ここに嵌合するストッパ４４は鏡面駒本体４２の大きさが変更になっても変更する必要がないため、位置決め凹部３１も変更する必要がなく、ガイドプレート３０は型枠１２から取り外されて繰り返し使用することが可能である。治具本体６１も、鏡面駒本体４２が挿通される部分に余裕があれば変更するところはなく、これも繰り返し使用することができる。
【００３２】
前記実施形態は、多数個取り金型について説明したが１個取り金型であっても良く、モールドプレス金型であっても良い。
【符号の説明】
【００３３】
１０  レンズ成形用金型
１１  固定型
１２，１２ｂ，２２  型枠
１３，１３ｂ  装着孔
２１  可動型
３０，３０ｂ  ガイドプレート
３１，３１ｂ  位置決め凹部
４０，４０ｂ，５０  鏡面駒
４１，４１ｂ，５１  転写面
４２，４２ｂ  鏡面駒本体
４３  スペーサ
４４  ストッパ
４５，５８  ネジ
４６  ネジ穴
５５  成形空間
６０  鏡面駒挿入用ガイド装置
６１，６１ｂ，７０  治具本体
６２  ネジ（保持手段）
６３，６３ｂ，７１  嵌合部
６４，７２  止め孔
７３  固定孔
７４  孔
７５  内筒面
７８，８４  ネジ（固定手段）
８０  固定板（固定手段）
【図１】
2010194779.tif 000003
【図２】
2010194779.tif 000004
【図３】
2010194779.tif 000005
【図４】
2010194779.tif 000006
【図５】
2010194779.tif 000007
【図６】
2010194779.tif 000008
【図７】
2010194779.tif 000009
【図８】
2010194779.tif 000010
【図９】
2010194779.tif 000011
【図１０】
2010194779.tif 000012
【図１１】
2010194779.tif 000013
【図１２】
2010194779.tif 000014
【図１３】
2010194779.tif 000015
【図１４】
2010194779.tif 000016
【図１５】
2010194779.tif 000017
【図１６】
2010194779.tif 000018
【図１７】
2010194779.tif 000019